(57)【要約】【課題】閉栓時の液密性をより一層高められるように改良された中栓付きキャップを提供する。【解決手段】ボトル（Ｂ）の口に取り付けられる中栓（１）と、中栓に被せられるオーバーキャップ（２）と、中栓に摺合したスライド弁（８）と、オーバーキャップとスライド弁との間の係合手段（１３・１８）とを有し、オーバーキャップの中栓に対する着脱運動に連れてスライド弁が開閉運動を行うようにしてなる中栓付きキャップを、中栓の軸線方向端面に密接し得るフランジ状部分（２３）がスライド弁に形成されると共に、中栓とオーバーキャップとの互いの対向面のそれぞれに、閉栓時に互いに密接し得る環状凸部（５・１４）が形成されるものとする。これにより、閉栓時のシールが複数の部分で行われるので、液漏れ防止性が高まる。【選択図】　　　図１
2004123154.tif 000002
【特許請求の範囲】
【請求項１】
ボトルの口に取り付けられる中栓と、前記中栓に被せられるオーバーキャップと、前記中栓に摺合したスライド弁と、前記オーバーキャップと前記スライド弁との間の係合手段とを有し、前記オーバーキャップの着脱運動に連れて前記スライド弁が開閉運動を行うようにしてなる中栓付きキャップであって、
前記中栓の軸線方向端面に密接し得るフランジ状部分が前記スライド弁に形成されると共に、
前記中栓と前記オーバーキャップとの互いの対向面のそれぞれに、閉栓時に互いに密接し得る環状凸部が形成されることを特徴とする中栓付きキャップ。
【請求項２】
前記中栓に設けられた前記環状凸部は、その端縁が外向きにカールした液切り板であることを特徴とする請求項１に記載の中栓付きキャップ。
【請求項３】
前記中栓に設けられたスライド弁支持部の外周側に透かし孔が設けられ、該透かし孔が設けられた面が、前記フランジ状部分で塞がれるようにしてなることをことを特徴とする請求項１に記載の中栓付きキャップ。
【発明の詳細な説明】
【０００１】
【発明の属する技術分野】
本発明は、中栓付きキャップに関し、特にドレッシングなど、比較的粘性の高い液体食品を収容する容器に用いるのに適した中栓付きキャップに関するものである。
【０００２】
【従来の技術】
ボトルの口に取り付けられた注ぎ口にオーバーキャップをねじ結合する構造の容器用キャップが知られている。この型式のキャップを、ドレッシングのように比較的粘性が高く、且つ使用する直前に振る必要のある液体食品のボトルに用いる場合、ボトルを振った際に注ぎ口とオーバーキャップとの間の空隙に内容液が入り込まないようにすることが望ましい。
【０００３】
このような観点に立つものとして、ボトルの口に取り付けられる中栓と、中栓に被せられるオーバーキャップと、中栓の開口に設けられた弁部材と、オーバーキャップと弁部材との間の係合手段とを有し、オーバーキャップの着脱運動に連れて弁部材が開閉運動を行うように構成された中栓付きキャップを、本出願人は既に提案している。
【０００４】
【特許文献１】
特開２００２−２４０８４３号公報（図１〜３）
【０００５】
【発明が解決しようとする課題】
しかるに、上記文献１の図１〜３に開示された構造によると、スライド弁と注ぎ口部との間の液密は、注ぎ口部の中心部に設けられた開口に対するスライド弁の嵌合精度のみに依存しており、経時劣化や製造誤差に起因する隙間がこの部分に生じると、中栓とオーバーキャップとの間に内容液が漏れ出す可能性があった。
【０００６】
本発明は、このような先行技術の問題点を解消すべく案出されたものであり、その主な目的は、閉栓時の液密性をより一層高められるように改良された中栓付きキャップを提供することにある。
【０００７】
【課題を解決するための手段】
このような目的を果たすために、本発明の請求項１においては、ボトル（Ｂ）の口に取り付けられる中栓（１）と、中栓に被せられるオーバーキャップ（２）と、中栓に摺合したスライド弁（８）と、オーバーキャップとスライド弁との間の係合手段（１３・１８）とを有し、オーバーキャップの着脱運動に連れてスライド弁が開閉運動を行うようにしてなる中栓付きキャップを、中栓の軸線方向端面に密接し得るフランジ状部分（２３）がスライド弁に形成されると共に、中栓とオーバーキャップとの互いの対向面のそれぞれに、閉栓時に互いに密接し得る環状凸部（５・１４）が形成されることを特徴とするものとした。
【０００８】
このようにすれば、閉栓時のシールが複数の部分で行われるので、液漏れ防止性が高まる。
【０００９】
特に、中栓に設けられた環状凸部を、その端縁が外向きにカールした液切り板とすれば（請求項２）、中栓の構造を複雑化せずにシール部を設けることができる。また、中栓に設けられたスライド弁支持部の外周側に透かし孔（１０）を設け、該透かし孔が設けられた面がフランジ状部分で塞がれるようにすれば（請求項３）、内容液を無駄なく使い切れるようにすることができる。
【００１０】
【発明の実施の形態】
以下に添付の図面を参照して本発明について詳細に説明する。
【００１１】
図１〜図３は、本発明に基づき構成された中栓付きキャップを示している。このキャップは、ボトルＢの口に嵌着される基本的に円筒形をなす中栓１と、中栓１の外周面にねじ結合するオーバーキャップ２とからなっており、それぞれが例えば合成樹脂材で形成されている。なお、以下の説明における方向性は、便宜上、図１の紙面に向かってのこととする。
【００１２】
中栓１は、ボトルＢの口に対する嵌合部３と、オーバーキャップ２を螺着させる雄ねじ部４と、その上端縁が外向きにカールした液切り板５を上端の外周部に備えた注ぎ口部６とを一体成型してなっている。そして注ぎ口部６の中心部に設けられた筒状ガイド部７の内周面には、スライド弁８が嵌着されている。なお筒状ガイド部７は、注ぎ口部６に対して複数の（例えば８つ）のスポーク９で接続されており、互いに隣り合うスポーク同士間に形成された透かし孔１０を介して筒状ガイド部７の外周側が上下に連通するようにされている。
【００１３】
オーバーキャップ２は、上壁１１が閉じられた円筒形をなし、中栓１の雄ねじ部４に螺合する雌ねじ１２がその円筒内周面に形成されると共に、上壁１１の下面に、オーバーキャップ２の中心と同心の同一円周上に等間隔をおいて列設された複数の（例えば８つ）軸線方向突片１３と、該突片１３が設けられた円周と同心の外周円上に立設された環状突条１４とを備えている。
【００１４】
スライド弁８は、自身よりも径寸法が一回り大きい円板１５で上面が塞がれた円筒状をなし、その円筒状部分１６の外周面で中栓１の筒状ガイド部７に軸線方向移動自在に摺合している。この円筒状部分１６の円板１５との接続部より下方には、複数の（例えば４つ）透かし孔１７が等間隔をおいて形成されている。そして円板１５の上面には、オーバーキャップ２の上壁１１内面に設けられた軸線方向突片１３に係合し得る環状凸部１８が設けられている。また円筒状部分１６は、その軸線方向中間部から下端部に掛けて幾分か縮径されており、この縮径部１９の最下端側の外周面に周方向溝２０が形成されている。
【００１５】
一方、中栓１に一体形成された筒状ガイド部７は、その下端部が僅かに縮径され、かつ先端へ行くに従って徐々に薄肉とされており、スライド弁８の縮径部１９の外周面に弾発力を伴って密接するようにされている。
【００１６】
次に本発明による中栓付きキャップの使用要領について説明する。
【００１７】
オーバーキャップ２の雌ねじ１２を中栓１の雄ねじ部４に螺着すると、ねじのリード角によってオーバーキャップ２がボトル側へ軸線方向移動し、オーバーキャップ２の軸線方向突片１３がスライド弁８の環状凸部１８に係合する。ここで軸線方向突片１３の下端側内周面並びに環状凸部１８の上端側外周面には、それぞれ断面形状が三角形（或いは半円形や台形などでも良い）をなす周方向突条２１・２２が形成されており、オーバーキャップ２を中栓１に一杯に締め込むと、突片１３が材料自体の弾性で拡径方向に変形し、突片１３と環状凸部１８との互いの周方向突条２１・２２同士が係合する。これによってオーバーキャップ２とスライド弁８とが相互に連結される。そしてオーバーキャップ２を中栓１に一杯に締め付けた状態では、中栓１の液切り板５の内周面にオーバーキャップ２の環状突条１４の外周面が密接すると共に、スライド弁８の円板１５のフランジ状をなす外周縁部２３が注ぎ口部６の外周側上面（液切り板５の付け根近傍）に密接する。これらの二重シール作用により、ボトルＢ内の液体が中栓１とオーバーキャップ２との間に漏出することが確実に防止される（図１参照）。
【００１８】
オーバーキャップ２を緩めると、オーバーキャップ２のボトルＢから遠ざかる向きの移動に伴われてスライド弁８が上方へ変位し、スライド弁８の透かし孔１７が液切り板５の内周面に対向する（図２中心線から右側参照）。オーバーキャップ２の雌ねじ１２が中栓１の雄ねじ部４から離脱する直前に、軸線方向突片１３と環状凸部１８との弾発係合が外れ、オーバーキャップ２とスライド弁８との連結が解除される（図２中心線から左側参照）。この状態では、スライド弁８の下端の周方向溝２０に筒状ガイド部７の縮径端２４が弾発的に引っ掛かっているので、スライド弁８が抜け止めされると同時に開弁状態に保持される。
【００１９】
この状態でボトルＢの内外は注ぎ口部６の上方に開口した透かし孔１７を介して互いに連通しているので、内容液を注ぎ出すことができる（図３参照）。また、中栓２はスポーク９同士間の透かし孔１０を介して内外が連通しているので、内容液を残さず注ぎ出すことができる。
【００２０】
図５は本発明の第２の実施形態を示している。なお、上記第１の実施形態と実質的に同一機能の部分には、図１〜４と同一の符号を付してその説明を省略する。
【００２１】
本実施形態においては、ボトルＢの開口部外周面に雄ねじ３１が形成され、この雄ねじ３１にオーバーキャップ２の内周面に形成された雌ねじ１２を螺着するようになっている。そしてスライド弁８は概ね上端が閉じられた有底円筒形をなし、オーバーキャップ２の上壁１１の内面の軸線方向突片１３と係合する突条２２が上端外周面に設けられ、上端から幾分か下がった位置に注ぎ口部６の上面に当接し得る外向きフランジ３２が設けられている。そして筒状ガイド部７の注ぎ口部６との接続部に、複数の透かし孔３３が円周を等分割する位置に形成されている。
【００２２】
この実施形態によると、閉栓時は、第１実施形態の構成と同様に、スライド弁８に一体形成されたフランジ３２が注ぎ口部６の上面に当接して透かし孔３３の連通を絶つと共に、液切り板５と環状突条１４とが互いに密接し、これによって二重シール作用が得られる。
【００２３】
そして開栓時は、スライド弁８が上動して透かし孔３３を介してボトルＢの内外を連通させる。この構成によれば、透かし孔３３が筒状ガイド部７と注ぎ口部６との接続部に設けられているので、内容液を残さず注ぎ出すための透かし孔の構成を、第１の実施形態に比して簡略化し得る。
【００２４】
【発明の効果】
以上詳述したように本発明によれば、中栓の液切り板の内周面とオーバーキャップの環状突条の外周面との密接、およびスライド弁のフランジ状部分と注ぎ口部の外周側上面との密接からなる複数の部分でシールが行われるので、使用性を損なうことなく閉栓時の液漏れ防止性を高める上に多大な効果を奏することができる。
【図面の簡単な説明】
【図１】本発明による中栓付きキャップの閉栓状態を示す断面図
【図２】本発明による中栓付きキャップの開栓状態を示す断面図
【図３】内容液を注ぎ出す様子を示す断面図
【図４】中栓の上面図
【図５】本発明の第２の実施形態を示し、中心線から右側が閉栓時を、左側が開栓時を示す断面図
【符号の説明】
１　中栓
２　オーバーキャップ
３　嵌合部
４　雄ねじ部
５　液切り板
６　注ぎ口部
７　筒状ガイド部
８　スライド弁
９　スポーク
１０　透かし孔
１１　上壁
１２　雌ねじ
１３　軸線方向突条
１４　環状突条
１５　円板
１６　円筒状部分
１７　透かし孔
１８　環状凸部
１９　縮径部
２０　周方向溝
２１・２２　周方向突条
２３　外周縁部
２４　縮径端
３１　雄ねじ
３２　フランジ部
３３　透かし孔
【図１】
2004123154.tif 000003
【図２】
2004123154.tif 000004
【図３】
2004123154.tif 000005
【図４】
2004123154.tif 000006
【図５】
2004123154.tif 000007